(57)【要約】【課題】分配装置の中に含まれる人工睫毛が使い切られた後、ユーザが分配装置の少なくとも一部を再利用できるようにする、人工睫毛を分配するための装置を提供すること。【解決手段】本発明は、人工睫毛４１を分配するための装置１に関し、装置１は、ハウジング１０と、複数の人工睫毛４１が固定される運搬用ストリップ３０と、人工睫毛４１をハウジング１０の外側の空間に向かって運ぶために、運搬用ストリップ３０を動かすように作動されることが可能な移動機構とを備え、前記装置１が、着脱可能な方法でハウジング１０に接合されるように設計されたリフィルを備えており、前記リフィルが、プレート１０２、前記運搬用ストリップ３０、及び移動機構を備え、前記運搬用ストリップ３０及び移動機構が、前記プレート１０２上に取り付けられている。本発明は、更に、このような装置１用のリフィルに関する。【選択図】図４
2016188455.tif 000002
【特許請求の範囲】
【請求項１】
人工睫毛（４１）を分配するための装置（１）であって、前記装置（１）は、ハウジング（１０）と、複数の人工睫毛（４１）が固定される運搬用ストリップ（３０）と、前記人工睫毛（４１）を前記ハウジング（１０）の外側の空間に向かって運ぶために、前記運搬用ストリップ（３０）を動かすように作動されることが可能な移動機構とを備え、前記装置（１）が、着脱可能な方法で前記ハウジング（１０）に接合されるように設計されたリフィルを備えており、前記リフィルが、プレート（１０２）、前記運搬用ストリップ（３０）、及び前記移動機構を備え、前記運搬用ストリップ（３０）及び前記移動機構が、前記プレート（１０２）上に取り付けられている、装置（１）。
【請求項２】
前記ハウジング（１０）が、着脱可能な方法で互いに接合されるように設計された基部及びカバー（３２０）を備える、請求項１に記載の装置（１）。
【請求項３】
前記プレート（１０２）が、前記基部及び／又は前記カバー（３２０）に対して着脱可能な方法で取り付けられるように設計される、請求項２に記載の装置（１）。
【請求項４】
前記プレートが、ねじ込むことで、前記ハウジング（１０）にしっかりと結合されるように設計される、請求項１から３までのいずれか一項に記載の装置（１）。
【請求項５】
前記プレート（１０２）が、弾性変形によって及び／又はスナップ式に取り付けて前記ハウジング（１０）にしっかりと結合されるように設計される、請求項１から４までのいずれか一項に記載の装置（１）。
【請求項６】
前記プレート（１０２）が、前記運搬用ストリップ（３０）を案内するための回転可能なベアリング（１０６）を備えている、請求項１から５までのいずれか一項に記載の装置（１）。
【請求項７】
前記プレート（１０２）が、前記睫毛（４１）が出ることを可能にする前記運搬用ストリップ（３０）の前記動きの方向と逆の方向に前記運搬用ストリップ（３０）が動くのを防止するように設計される、請求項１から６までのいずれか一項に記載の装置（１）。
【請求項８】
前記プレート（１０２）が、前記運搬用ストリップ（３０）を案内するための案内リブ（２５）を備えている、請求項１から７までのいずれか一項に記載の装置（１）。
【請求項９】
前記ハウジング（１０）が、分配用開口（１１）を備えており、前記移動機構が、前記人工睫毛（４１）を前記分配用開口（１１）に向かって運ぶために、且つ前記人工睫毛（４１）が前記分配用開口（１１）を通って出ることを可能にするために、前記運搬用ストリップ（３０）を動かすように作動されることが可能である、請求項１から８までのいずれか一項に記載の装置（１）。
【請求項１０】
前記運搬用ストリップを動かすための前記機構が、
−  前記ハウジング（１０）に対して回転可能に取り付けられるスプール（２１）と、
−  前記スプール（２１）を回転させ、前記運搬用ストリップが前記スプール（２１）に巻き付けられるようにし、前記スプール（２１）に前記運搬用ストリップ（３０）を巻き付けて、前記睫毛（４１）を分配するために前記運搬用ストリップ（３０）を動かす作動手段と
を備える、請求項１から９までのいずれか一項に記載の装置（１）。
【請求項１１】
請求項１から１０までのいずれか一項に記載の装置用のリフィル。
【発明の詳細な説明】
【技術分野】
【０００１】
本発明は、より一般的には「付け睫毛」と呼ばれる人工睫毛を自然の睫毛に加えることによって、特に目に化粧を施す分野に関する。本発明は、より具体的には、人工睫毛を分配するための装置及びそのような装置を備えるモジュールに関する。
【背景技術】
【０００２】
人工睫毛は、一般的には、自然の睫毛のボリューム、長さ、若しくは光沢を増やすため、又は例えば一片の宝石と同じように美的及び装飾的特徴を顔に与えるために使用される。
【０００３】
人工睫毛は、一般的にはユニットの形で販売され、各ユニットは、睫毛のフリンジ部と、睫毛の基部で睫毛をまとめて保持する結合ストリップとを備え、睫毛の他方の端部は、固定されていない。これらのユニットは、最初に用いられて以来、ほんの僅かしか変化しておらず、したがって、化粧品の分野で起こった著しい革新において見過ごされてきた従来型の箱に入って、２つ一組で販売される場合がある。
【０００４】
これらの箱は、別の製品以上にある製品に消費者を引きつけることができる、消費者にとって特別な美的外観又は楽しい外観を何ら有するものではない。実際、これらの箱を販売している会社は、色に変化をつけてそれらの箱と他の製品とを区別しようとしているだけであり、人工睫毛用の箱に、睫毛のブランドを正確に識別する、デザイン又は機能の観点で独創的な特徴を与えようとしていない。
【０００５】
その上、これらの箱は、限定的な量の人工睫毛ユニット、典型的には一対の人工睫毛ユニットしか提供しないためあまり実用的でなく、これによって、このような箱が占めるユニット体積が増え、且つ、販売される一対の睫毛ユニットの価格が上昇する傾向がある。これらの２つの要因は、人工睫毛の大量の購入を控えさせる傾向がある。
【０００６】
人工睫毛ディスペンサ容器は、ハウジングと、人工睫毛が取り付けられる運搬用ストリップとを備えることが更に知られている。したがって、ハウジング内部の移動機構が、睫毛をハウジングの外部に向かって運ぶことを可能にする。この解決策は、多数の睫毛を保管することを可能にする。しかしながら、一旦全ての睫毛を使い切ると、睫毛ディスペンサ容器は使用できなくなるので、これらのディスペンサ容器には、再利用できないという欠点がある。
【発明の概要】
【発明が解決しようとする課題】
【０００７】
本発明で取り組む課題の１つは、分配装置の中に含まれる人工睫毛が使い切られた後、ユーザが分配装置の少なくとも一部を再利用できるようにすることである。
【課題を解決するための手段】
【０００８】
この課題は、人工睫毛を分配するための装置によって、本発明の文脈の中で解決され、この装置は、ハウジングと、複数の人工睫毛が固定される運搬用ストリップと、人工睫毛をハウジングの外側の空間に向かって運ぶために、運搬用ストリップを動かすように作動されることが可能な移動機構とを備え、前記装置が、着脱可能な方法でハウジングに接合されるように設計されたリフィルを備えており、前記リフィルが、プレート、前記運搬用ストリップ、及び移動機構を備え、前記運搬用ストリップ及び移動機構が、前記プレート上に取り付けられている。
【０００９】
このようにして、装置の中の人工睫毛の全てを使い切ったユーザは、リフィルを取り替えるだけで、ハウジングを保有することができる。したがって、ユーザは、人工睫毛を分配するための装置の少なくとも一部を再利用することができる。
【００１０】
好都合には、ただし、随意的に、本発明は、以下の特徴の全て又は一部により補完されることもできる。
−  前記ハウジングは、分配用開口を備えており、
−  前記移動機構は、人工睫毛を分配用開口に向かって運ぶために、且つ人工睫毛が分配用開口を通って出ることを可能にするために、ストリップを動かすように作動されることが可能であり、
前記プレートは、ねじ込むことで、ハウジングにしっかりと結合されるように設計され、
前記プレートは、弾性変形によって及び／又はスナップ式に取り付けてハウジングにしっかりと結合されるように設計され、
ハウジングは、着脱可能な方法で互いに接合されるように設計された基部及びカバーを備え、
前記プレートは、基部及び／又はカバーに対して着脱可能な方法で取り付けられるように設計され、
前記プレートは、ストリップを案内するための回転可能なベアリングを備えており、
前記プレートは、睫毛が出ることを可能にするストリップの動きの方向と逆の方向にストリップが動くのを防止するように設計され、
前記プレートは、運搬用ストリップを案内するための案内リブを備えており、
ハウジング及びプレートは、２つの別個の要素であり、
運搬用ストリップを動かすための機構は、
・ハウジングに対して回転可能に取り付けられるスプールと、
・スプールを回転させ、運搬用ストリップがスプールに巻き付けられるようにし、スプールに運搬用ストリップを巻き付けて、睫毛を分配するために運搬用ストリップを動かす作動手段と
を備える。
【００１１】
本発明は、更に、このような装置用のリフィルに関する。
【００１２】
本発明の他の特徴、目的、及び利点は、純粋に例証的及び非限定的な実例として与えられ、以下の図面を参照しながら読むべきである以下の説明からより明瞭になろう。
【図面の簡単な説明】
【００１３】
【図１ａ】本発明の１つの実施例による、人工睫毛を分配するための装置の、第１の構成で示される正面図である。
【図１ｂ】図１ａの装置の、第２の構成で示される正面図である。
【図２】図１ｂの装置の縦断面図である。
【図３】同じ実施例による装置の平面図である。
【図４】同じ実施例による、分配装置用のリフィルの斜視図である。
【図５】同じ実施例によるリフィルの正面図である。
【図６】同じ実施例による分配装置のハウジングの基部の斜視図である。
【図７】同じ実施例によるリフィルを備える前記ハウジングの基部の斜視図である。
【図８】同じ実施例によるリフィルの側面図である。
【図９】同じ実施例による前記ハウジングのカバーの斜視図である。
【発明を実施するための形態】
【００１４】
図１から図３までで示すように、本発明は、人工睫毛を分配するための装置１に関する。
【００１５】
前記装置１はハウジング１０を備え、ハウジング１０は、好ましくはポリプロピレン（ＰＰ）、ポリエチレン（ＰＥ）、アクリロニトリル・ブタジエン・スチレン（ＡＢＳ）、スチレン・アクリロニトリル（ＳＡＮ）又はポリエチレン・テレフタレート（ＰＥＴ）、ポリエチレン・テレフタレート共重合体（ＰＥＴＧ）、Ｓｕｒｌｙｎ（登録商標）樹脂又はポリオキシメチレン（ＰＯＭ）などのプラスチック材料製である。ハウジング１０は、アルミニウム、Ｚａｍａｋ等などの金属製であってもよい。
【００１６】
ハウジング１０は、不透明であってもよく、又はそれとは対照的に透明であってもよく、具体的には、以下に詳述されるように、ハウジング１０が収納する要素が見えるように少なくとも部分的に透明であってもよい。
【００１７】
ここでは、ハウジング１０は、ハウジングの内部を画定する周辺輪郭３５０及び２つの側壁３１０、３２０によって形成される。前記周辺輪郭３５０は２つの側壁３１０、３２０を結合しており、２つの側壁３１０、３２０は、実質的に平面で、同じ形状をしており、互いに平行である。底３１０と呼ばれる側壁の一方と周辺輪郭３５０とは、一体に形成されていれば好都合であり、前記周辺輪郭３５０が、前記底３１０の辺縁にわたって配置される。底３１０及び周辺輪郭３５０は、基部を形成する。カバー３２０と呼ばれる側壁の他方は、基部用のカバーとしての機能を果たすことができる。
【００１８】
図６及び図９にそれぞれ示される基部及びカバー３２０は、任意の方法、例えばねじ込むこと、スナップ式に取り付けること、又は弾性変形によって互いに接合されるように設計される。換言すれば、前記カバー３２０及び前記基部は、着脱可能な方法で互いに接合されるように設計される。
【００１９】
本発明によれば、装置１は、ハウジング１０から取り外すことができるリフィルを備える。前記リフィルは、図４、図５、図７、及び図８に示すように、プレート１０２を備える。換言すれば、前記プレート１０２は、未定義の方法、例えばねじ込むことで、スナップ式に取り付けることで、又は弾性変形によって、ハウジング１０にしっかりと結合されるように設計される。更に換言すれば、具体的には基部及びカバー３２０が分解される時、前記プレート１０２が、ハウジング１０から取り除かれるように設計される。
【００２０】
本発明によれば、プレート１０２を、具体的にはハウジング１０から取り外すことができるという事実によって、装置１全体を取り替える必要なく、装置１に詰め替えを行うことが可能になる。
【００２１】
ハウジング１０及びプレート１０２は、この場合、別個の要素である。換言すれば、プレート１０２は、ハウジング１０から分離している。
【００２２】
前記プレート１０２は、例えばハウジング１０の内側で基部の一部と接触するように設計されるサポートである。前記プレート１０２は、実質的な平面部分１０７を備えることができる。プレート１０２は、当該プレートを前記基部の中に、具体的には前記周辺輪郭３５０で画定される空間の中に配置することが可能になる寸法を有することにも留意されたい。
【００２３】
或いは、図面に示されない別の実施例では、前記プレート１０２が、カバー３２０にしっかりと結合されてもよい。
【００２４】
前記プレート１０２は、ハウジング１０の材料と同一の材料、例えばプラスチック材料又は金属でできていてもよいことにも留意されたい。或いは、前記プレート１０２が、別の材料でできていてもよい。
【００２５】
図１ｂ及び図２に示すように、ハウジング１０は、ユーザによって使用されるために睫毛４１が通って出る分配用開口１１を備える。前記装置１は、ハウジング１０の内側に、睫毛４１が固定される、図２では破線で示される運搬用ストリップ３０と、睫毛４１を分配用開口１１に向かって運ぶために運搬用ストリップ３０を動かすように作動されることが可能な移動機構も備える。したがって、前記装置１は、運搬用ストリップ３０が動いた結果、人工睫毛４１が分配用開口１１を通って出ることを可能にするように構成される。
【００２６】
本発明によれば、前記運搬用ストリップ３０及び移動機構は、リフィルの一部を形成し、前記プレート１０２上に取り付けられる。
【００２７】
運搬用ストリップ３０の上で、睫毛４１は、図３に示すように、睫毛ユニット４０の形で一緒にグループ化されれば好ましい。
【００２８】
睫毛ユニット４０を運搬用ストリップ３０に固定することが、運搬用ストリップ３０上の接着剤被膜によって確実にされれば好ましく、被膜は、睫毛４１を損傷することなく睫毛ユニット４０を取り除くことを可能にするのに適切な特性を有している。
【００２９】
各睫毛ユニット４０は、睫毛４１のフリンジ部及び結合ストリップ４２を備えることができる。睫毛４１は、一方の端部、好ましくはその基部において結合ストリップ４２によって相互接続され、他方の端部は固定されていない。
【００３０】
人工睫毛４１及び結合ストリップ４２は、合成繊維、典型的にはポリブチレン・テレフタレート（ＰＢＴ）及びＰＶＣでできており、何らかの既知の方法によって結合ストリップ４２にしっかりと結合される。人工睫毛４１は、例えば結合ストリップ４２に接着されてもよく、又は結合ストリップ４２と一体に形成されてもよい。また、人工睫毛４１は、結合ストリップ４２に縫い付けられてもよく、又は前記ストリップ４２に溶着されてもよい。
【００３１】
運搬用ストリップ３０は、複数の別個の接着剤領域を有していれば好都合であり、前記領域は、例えば接着剤皮膜によって被覆され、運搬用ストリップ３０の残りの部分は、接着性を有していない。
【００３２】
睫毛ユニット４０は、睫毛が運搬用ストリップ３０の長手方向と平行に方向付けられるように、運搬用ストリップ３０に固定されれば好ましく、したがって、結合ストリップ４２は、この方向を横断している。変形例では、睫毛４１は、横断方向に、具体的には直交するように方向付けられてもよい。
【００３３】
その上、睫毛ユニット４０は、それらが２つの連続するユニットの間の一定の間隔だけ離れるように、運搬用ストリップ３０の上に規則正しく分配されれば好ましい。典型的には、この間隔は、５ｍｍから２０ｍｍの間であり得る。
【００３４】
典型的には、睫毛４１は、８ｍｍから１５ｍｍの長さＬを有し、１０ｍｍと同等であれば好ましい。
【００３５】
睫毛ユニット４０自体は、３ｍｍから１０ｍｍの幅ｌを有し、４ｍｍから５ｍｍであれば好ましい。この幅は、従来から市販される睫毛ユニットより小さい。したがって、ユーザの目蓋の全幅を被覆するためには、複数の睫毛ユニット４０を目蓋に貼る必要がある。
【００３６】
運搬用ストリップ３０と平行に方向付けられる睫毛の場合、睫毛ユニット４０の幅ｌが減るので、睫毛ユニットが固定される運搬用ストリップ３０の幅を減らし、そしてその結果、分配装置１が占める体積を減らすことが可能になる。
【００３７】
図２、図４、図５、図７、及び図８に示すように、移動機構は、プレート１０２に対して回転可能に取り付けられるリール２０を備える。運搬用ストリップ３０の第１の長手方向端部は、リール２０に固定され、分配される人工睫毛ユニットが固定される運搬用ストリップ３０の部分３１は、リール２０に巻き付けられる。したがって、リール２０は、分配用開口１１の上流に配置され、更に、運搬用ストリップ３０の経路の出発点を形成することができる。
【００３８】
リール２０に巻き付けられる運搬用ストリップ３０の部分３１は、睫毛ユニット４０の蓄え部を形成する。より具体的には、装置１の寸法では、数メートルの運搬用ストリップ３０、例えば０．５メートルから２メートルの間のストリップを巻き付けることが可能になり得、このことにより、２０ユニットから１８０ユニットの人工睫毛を保管することが可能になる。これによって、ユーザが約１０日から３０日分相当の人工睫毛を有することが可能になる。
【００３９】
リール２０に巻き付けられるストリップの長さ、及びその円形断面の直径は、リールに運搬用ストリップ３０を巻き付けることで、分配された時に睫毛の曲率半径をあまりに著しく変えないように構成されなければならない。
【００４０】
例えば、リール２０の円形断面の直径が小さすぎる場合には、リールの外側面に最も近いストリップの部分の上の睫毛は、大きすぎる曲率半径を有する。したがって、リール２０の円形断面の直径は、５ｍｍから１２ｍｍの間である。
【００４１】
更に、運搬用ストリップ３０を巻き付けることで、リール２０の周囲に円柱が形成され、この円柱の直径は、巻きつけられた運搬用ストリップ３０の長さとともに漸次大きくなる。巻きつけられた運搬用ストリップ３０の長さがあまりに長い場合、このように形成された円柱の直径は、大きくなり、巻きの外周縁で運搬用ストリップ３０に固定される睫毛の曲率半径は、小さくなりすぎる。
【００４２】
上で示した運搬用ストリップ３０の巻き付け長さは、この影響を考慮するものである。リール２０に巻き付けられる運搬用ストリップ３０によって形成される円柱の断面の直径は、最大でも３０ｍｍであり得る。したがって、分配装置１は、リール２０に巻き付けられる運搬用ストリップ３０のおかげで、従来型の箱と異なり、実際に非常にコンパクトな様式で、かなりの数の人工睫毛ユニット４０を保管することが可能になる。
【００４３】
図８に示すように、リール２０は、円形断面を有する円柱の形になっており、この円柱は、その回転軸を中心とする回転動作が可能であり、運搬用ストリップ３０の幅以上の長さを有する。これによって、運搬用ストリップ３０が円柱２０の外側面上に正しく載っていることが可能になる。
【００４４】
リール２０がプレート１０２と同じ材料でできていてもよいことに留意されたい。
【００４５】
この場合、運搬用ストリップ３０を動かすためのシステムは、プレートに対して回転可能に取り付けられるスプール２１を更に備える。スプール２１は、ストリップ３０の経路上で分配用開口１１の下流にある。
【００４６】
リールに固定されない運搬用ストリップ３０の第２の長手方向端部は、スプール２１に固定され、睫毛ユニット４０が取り除かれた運搬用ストリップ３０の部分３３が、スプール２１に巻き付けられる。
【００４７】
リール２０と類似の様式で、スプール２１は、円形断面を有する円柱の形状になっており、この円柱は、プレート１０２に対して回転動作が可能であり、運搬用ストリップ３０の幅以上の長さを有する。これによって、運搬用ストリップ３０が、スプール２１の外側面上に正しく載っていることが可能になる。スプール２１が、プレート１０２と同じ材料でできていれば好都合である。
【００４８】
リール２０及び／又はスプール２１は、前記運搬用ストリップ３０を案内することが可能になる横方向フランジを備えることができる。
【００４９】
特に図６で分かるように、ハウジング１０は、位置決めピン３６０及び３６１を備えていれば好都合である。前記位置決めピン３６０及び３６１は、例えばハウジング１０の基部と一体に形成され、プレート１０２をハウジング１０の中に位置決めすることが可能になるように設計される。
【００５０】
図４を参照すると、前記プレート１０２は、この場合、プレート１０２と一体に形成される少なくとも２つの関節接合シャフト３６０’及び３６１’を備えていることに留意されたい。前記関節接合シャフト３６０’及び３６１’は、前記位置決めピン３６０及び３６１とそれぞれ協働するように、例えば中空である。換言すれば、前記関節接合シャフト３６０’及び３６１’はそれぞれ、位置決めピン３６０及び３６１を受けるように構成される。
【００５１】
関節接合シャフト３６０’及び３６１’が位置決めピン３６０、３６１と協働することで、プレート１０２を、基部に、したがって少なくとも部分的にハウジング１０にしっかりと結合することが可能になれば好都合である。換言すれば、プレート１０２がハウジング１０の中に配置されると、位置決めピン３６０及び３６１は、プレート１０２を少なくとも部分的に動かなくさせるべく、関節接合シャフト３６０’及び３６１’の中に配置されるように設計されれば好都合である。
【００５２】
前記関節接合シャフト３６０’、３６１’は、プレート１０２の前記実質的な平面部分１０７に対して直角に延びていれば好都合であることに留意されたい。前記シャフトは、位置決めピン３６０、３６１と平行に配置されるように設計される。位置決めピン３６０及び３６１は、例えば関節接合シャフト３６０’、３６１’の内径と実質的に等しい外径を有することにも留意されたい。
【００５３】
リール２０は、プレート１０２の関節接合シャフト３６０’を中心に回転するべく取り付けられるように設計される。スプール２１自体は、プレート１０２の関節接合シャフト３６１’に対して回転可能に取り付けられるように設計される。前記関節接合シャフト３６０’及び３６１’はそれぞれ、実質的にリール２０の長さ及びスプール２１の長さのそれぞれ以上の長さを有することに留意すべきである。
【００５４】
図４及び図７に示すように、関節接合シャフト３６０’及び３６１’のそれぞれは、自由端の領域で、リール２０及びスプール２１を前記関節接合シャフト３６０’及び３６１’上にそれぞれ、したがってプレート１０２上に保持することが可能になるように設計される保持ラグを備えていれば好都合である。
【００５５】
図２に示すように、リール２０に巻き付けられる部分３１とスプール２１に巻き付けられる部分３３との間に位置する、運搬用ストリップ３０の中間部分３２は、分配用開口１１の近くまで通っている。
【００５６】
この部分３２は、この場合、前記運搬用ストリップ３０を案内するためのリブ２５の端部の形になっている偏向要素２４上で支持される。前記案内リブ２５は、前記プレート１０２と一体に形成されて、それにしっかりと結合されれば好都合である。前記偏向要素２４は、分配用開口１１の近くに、すなわち、睫毛の長さより短い距離だけ分配用開口１１から離れて配置されるように設計される。図８では、分りやすくするために、単一の睫毛ユニットが示してある。
【００５７】
運搬用ストリップ３０は、偏向要素２４によって張力がかけられており、リール２０とスプール２１の間のその径路において、方向を変更しながら、偏向要素２４の周囲を通っている。
【００５８】
偏向要素２４の位置及びその直径は、運搬用ストリップ３０が要素２４の周囲を通過する時、睫毛ユニット４０が、部分的に運搬用ストリップ３０から取り除かれ、分配用開口１１を通って装置１を出るように構成される。
【００５９】
例えば、偏向要素２４の上流での運搬用ストリップ３０の方向及び偏向要素２４の下流での運搬用ストリップの方向は、この取り除きを促進するように選択される。
【００６０】
偏向要素２４の半径は、その外側面が０．５ｍｍから４０ｍｍの曲率半径を有するように選択され、その結果、ストリップが、この外側面上に載っていながら偏向要素の周囲を通過する時、ストリップが、同じ曲率半径を採用する。
【００６１】
その上、睫毛ユニット４０は、運搬用ストリップ３０が偏向要素２４の周囲を通過する時、睫毛の自然の曲率が、運搬用ストリップ３０によって採用される曲率と正反対になるようにストリップ上に配置される。
【００６２】
したがって、運搬用ストリップ３０が偏向要素２４に達して、前記要素を中心に枢動することで方向を変更する時、下流に位置する睫毛ユニット４０の端部は、運搬用ストリップ３０から取り除かれ、分配用開口１１を通って出る。
【００６３】
分配される睫毛ユニット４０は、運搬用ストリップ３０が分配用開口１１に向かって動かされる時、睫毛４１の結合ストリップ４２が、分配用開口１１に向かって最初に運ばれるように、運搬用ストリップ３０上に配置されれば好ましい。
【００６４】
このようにして、運搬用ストリップ３０から取り除かれて、分配用開口１１を通って装置１を出るのは、結合ストリップ４２である。しかしながら、睫毛の自由端は、運搬用ストリップ３０に接着されたままである。
【００６５】
運搬用ストリップ３０がこの位置にある時、ユーザは、装置１から睫毛ユニットを手動で取り除く前に、結合ストリップ４２に接着剤を塗ることができる。接着剤を塗るこの段階の間、したがって、睫毛ユニット４０は、睫毛４１の自由端によって運搬用ストリップ３０上に保持され、ユーザは、自身の手で睫毛４１を保持する必要がない。このことにより、接着剤をそこに塗る間、人工睫毛４１を損傷させる危険性がより低くなる。
【００６６】
その上、睫毛ユニット４０に接着剤を塗って、睫毛ユニット４０を適用する目的で睫毛ユニット４０を扱うことをより容易にするために、ハウジング１０の中に作られる分配用開口１１の両側に位置する、ハウジング１０の壁１２０、１２２は、以下に詳述されるように、ピンセットの形になっていれば好ましい。
【００６７】
作動中、偏向要素２４の下流に位置する運搬用ストリップ３０の部分３２は、睫毛ユニットが分配用開口を通って取り除かれているので、もはや睫毛ユニットを何も保持していない。運搬用ストリップ３０のこの部分３２は、スプール２１まで運ばれる。
【００６８】
この場合、運搬用ストリップ３０を動かすための機構が、すでに述べたように、スプール２１を回転させ、運搬用ストリップ３０がスプール２１に巻き付けられるようにし、スプール２１に運搬用ストリップ３０を巻き付けて、睫毛４１を分配するために運搬用ストリップ３０を動かす作動手段２３を更に備える。
【００６９】
ハウジング１０が、開口１２を備え、作動手段２３が、前記開口１２を介して動作させられることができるスクロール・ホイールを備えていれば好都合である。
【００７０】
前記装置１は、ハウジング１０の対向部分１００から分配用開口１１に向かう方向にスクロール・ホイール２３を手動で作動させることで、睫毛４１を分配するため運搬用ストリップ３０を動かすように、構成され得る。換言すれば、分配用開口１１が左側に位置付けられている図２では、スクロール・ホイール２３は、運搬用ストリップ３０を巻き戻すことを可能にするためには、時計回りの方向に作動されなければならない。運搬用ストリップは、ユーザには直観的に認識され、睫毛を押す動きに対応した動きによって巻き戻される。
【００７１】
図１ｂ及び図７に示すように、スクロール・ホイール２３は、開口１２を通ってハウジング１０の外側に突出する刻み付きホイールを備えることができる。スプール２１は、例えば前記スクロール・ホイール２３と同軸であり、それにしっかりと結合されている。このようにして、運搬用ストリップ３０は、スクロール・ホイール２３を回転させることで、前方へ動かすことができる。
【００７２】
スクロール・ホイール２３の刻み付きホイールは、隆起が設けられた外周面を有すれば好都合である。前記周面は、スクロール・ホイール２３を作動させるためにユーザによって操作されることが意図されたものである。上記のように、刻み付きホイールは、特にピンセットが開いている時、開口１２を通ってハウジング１０の外側に突出するように配置される。このようにして、ユーザは、スクロール・ホイール２３を操作することによって、睫毛４１を分配用開口１１に向かって前進させることができる。
【００７３】
より具体的には、スクロール・ホイール２３を回転させることで、スプール２１が回転し、運搬用ストリップ３０がスプールに巻き付けられる。このように巻き付けられることで、リール２０とスプール２１の間に延びる運搬用ストリップ３０の部分は動かされ、したがって、睫毛ユニット４０を分配用開口に向かって運び、これに伴って、上記の分配用開口の領域で、睫毛が取り除かれる。この動きによって、運搬用ストリップ３０は、リール２０から巻き戻される。
【００７４】
前記プレート１０２は、ストリップ３０を案内することが可能になるように設計される回転可能なベアリング１０６を更に備えることができる。前記回転可能なベアリング１０６は、例えば、前記プレート１０２の残りの部分の上に特に成形される関節接合シャフト３６２’を中心に自由に回転することができる。プレート１０２の前記関節接合シャフト３６２’自体は、ハウジング１０の基部と一体に形成される位置決めピン３６２と協働する受け入れ部分を画定するために中空であってもよい。前記位置決めピン３６２は、他の位置決めピン３６０及び３６１と同じ方法で、側壁３１０に直交し、関節接合シャフト３６２に平行な方向に方向付けられれば好都合である。
【００７５】
スプール２０及びリール２１の場合のように、前記関節接合シャフト３６２’は、回転可能なベアリング１０６を保持するための保持ラグをその自由端に備えていれば好都合であり得る。
【００７６】
ユーザが、前記ホイールをスプール２１が巻き戻る方向にだけ回転させることができるように、スクロール・ホイール２３が一方の向きに回転するのを阻止する機構を、更に備えることができる。したがって、前記プレート１０２は、スプール２１と同軸で、それにしっかりと結合されている歯車１１４と協働することによって逆転止めレバーとして働く可撓アーム１１２を備え、このことにより、プレートが、望ましくない方向に運搬用ストリップ３０が動くのを阻止する機能を全うすることが可能になる。
【００７７】
すでに述べたように、分配用開口１１の両側に位置する壁１２０、１２２は、１つ又は複数の前記睫毛４１を前記壁１２０、１２２の間に保持するために、ピンセットの様式で相互に押圧するように設計することができる。
【００７８】
本発明の態様によれば、図６に示すように、前記壁の一方の１２０は固定されており、ピンセットの可動アームと見なされる他方の１２２は、具体的には、ハウジング１０の残りの部分に対してシャフト１２５を中心に枢動することによって関節式に結合されている。
【００７９】
ここでは、固定壁１２０は、周辺輪郭３５０の部分によって形成され、可動アーム１２２は、固定壁１２０と対向する周辺輪郭３５０の部分に位置付けられる。換言すれば、固定壁１２０及び可動アーム１２２は、実質的に互いに対向している。
【００８０】
したがって、睫毛４１を遮断するため、ユーザは、可動アーム１２２を作動させて、睫毛を固定壁１２０に当てて捕らえる。前記可動アーム１２２は、睫毛４１の取扱いを改善するように、固定壁１２０との平面接触を可能にするリップ部１２３をその遠位端部に備えることができる。
【００８１】
図１ａに示すように、可動アーム１２２は、ピンセットが閉じている時、睫毛４１が分配用開口１１に向かって運ばれるのを防止するように設計されれば好都合である。この目的で、可動アーム１２２が閉位置にある時、これが、刻み付きホイールの一方の側を隠すように設計することができる。したがって、刻み付きホイールの前記側及び可動アーム１２２の部分は、互いに対向している。この構成では、このホイールを操作するのに使用される刻み付きホイール上の隆起は、アクセスするのが更に困難であるので、したがって、スクロール・ホイール２３は、操作するのが困難である。
【００８２】
換言すれば、閉位置では、可動アーム１２２は、刻み付きホイールが、ハウジング１０の外側にもはや突出しないように、スクロール・ホイール２３の一方の側を横方向に被覆している。したがって、ユーザが、スクロール・ホイール２３を操作することは困難になっている。具体的には、刻み付きホイールの隆起が位置する領域での外周面の操作は、近傍の可動アーム１２２の部分の存在によって妨害される。
【００８３】
反対に、図１ｂに示すように、開位置では、可動アーム１２２の同じ部分は、ハウジング１０に引き込まれている。
【００８４】
図２に示すように、前記装置１は、前記可動アーム１２２をピンセットの開位置に保持するために可動アーム１２２上に力を及ぼす板ばね１２６を更に備えることができる。前記板ばね１２６は、例えば、その関節接合シャフト１２５とその遠位端部１２３の間にある可動アーム１２２の部分上にその作用を及ぼす。前記板ばね１２６は、例えば前記プレート１０２上に配置され、それに対して回転可能に取り付けられる。
【００８５】
前記可動アーム１２２は、前記ピンセットが閉位置にあるハウジング１０上にラッチ様式で保持されるように更に設計することができる。この場合、前記可動アーム１２２は、この目的ために、ハウジング１０にしっかりと結合される補完的形状と協働することが意図される１つ又は複数の可撓タブ１３０を備える。前記可撓タブは、前記板ばねが作用する端部と対向する可動アーム１２２の一方の端部に位置付けられる。ピンセットを解放して、それらが開位置に戻ることを可能にするために、ユーザは、可動アーム１２２を、前記関節接合シャフト１２５と前記可撓タブ１３０の間に位置するその部分の上で押圧する。
【００８６】
前記プレート１０２は、前記可撓タブ１３０をピンセットの開位置に位置決めするための止め部１７０を備えることができる。前記位置決め止め部は、部分、具体的には分配用開口１１に隣接して位置する端部と対向する案内リブ２５の端部を備えることができる。
【００８７】
前記スプール２１は、ハウジング１０の中で、関節接合シャフト１２５と遠位端部１２３の反対側の端部との間にある前記可動アーム１２２の部分の端部、すなわち、この場合、可撓ラッチ・タブ１３０を含む端部に位置付けることができる。
【００８８】
前記可動アーム１２２は、開位置から閉位置まで動かすための取扱い突起１３４を更に備えることができる。この場合、突起は、前記可動アームの関節接合シャフト１２５とその遠位端部１２３の間に、具体的には前記可動アームの前記関節接合シャフト１２５と前記板ばね１２６の作動領域との間に位置付けられる。
【００８９】
上記のように、ピンセットが閉位置から開位置へ動くのは、ユーザが、シャフト１２５と可撓タブ１３０の間に位置する可動アーム１２２の部分に作用を及ぼすことで引き起こされることに留意されたい。可動アーム１２２が開位置から閉位置まで逆方向に回転するのは、ユーザが、シャフト１２５とリップ部１２３の間に位置する可動アーム１２２の部分に作用を及ぼすことで引き起こされる。
【００９０】
図３に示す別の態様によれば、前記ハウジング１０は、上記のように、具体的にはハウジングの透明な部分を用いて作り出される、分配用開口１１の近くで運搬用ストリップ３０を見るための窓１６０を備えることができる。前記窓１６０が、前記睫毛４１の１つ又は複数を位置決めするためのマーカ１６２を有すれば好都合である。前記マーカの位置決めは、例えば前述のピンセットによる睫毛の好ましい固定化位置を定めるために選択される。
【００９１】
更に、再び図２を参照すると、結合ストリップ４２が運搬用ストリップ３０から分離され、睫毛４１の自由端が運搬用ストリップ３０に付着したままである運搬用ストリップ３０の位置では、結合ストリップ４２に隣接する睫毛の端部が、この場合リップ部１２３上で、可動アーム１２２と接触していれば又はその上に載っていれば好都合であることに留意されたい。このようにして、睫毛４１がこの位置にある時、ピンセットが閉じ、したがって、リップ部１２３が、固定壁１２０に近づき、次いで接触することは、睫毛４１の取り除きを助ける、又はそれを完了させる。具体的には、可動アーム１２２と固定壁１２０が、その間に睫毛４１を保持しながら接触していることで、当初全長にわたって湾曲していた睫毛４１を平らにすることによって、局所的な変形を引き起こすことができる。この変形は、睫毛４１を運搬用ストリップ３０から取り除くのに寄与することができる。睫毛４１と可動アーム１２２との最初の接触は、ピンセットが開位置にある間、又は後半の閉じる動きの時に起きてもよい。
【００９２】
１つ又は複数の装置は、人工睫毛を適用するための完全なキットの一部として更に販売することができ、キットは、睫毛ユニットの結合ストリップに接着剤を付けるための接着剤の瓶及び前記接着剤を溶かすための溶解液の瓶を更に備える。
【００９３】
本発明の別の態様によれば、運搬用ストリップ３０は、代替的に糸でもよい。
【符号の説明】
【００９４】
１  装置
１０  ハウジング
１１  分配用開口
１２  開口
２０  リール、円柱
２１  スプール
２３  作動手段、スクロール・ホイール
２４  偏向要素
２５  リブ、案内リブ
３０  運搬用ストリップ
３１  部分
３２  中間部分
３３  部分
４０  睫毛ユニット
４１  人工睫毛
４２  結合ストリップ
１０２  プレート
１０６  ベアリング
１０７  平面部分
１１２  可撓アーム
１１４  歯車
１２０  壁、固定壁
１２２  壁、可動アーム
１２３  リップ部、関節接合シャフトの遠位端部
１２５  関節接合シャフト
１２６  板ばね
１３０  可撓タブ、可撓ラッチ・タブ
１３４  取扱い突起
１６０  窓
１６２  マーカ
１７０  止め部
３１０  側壁
３２０  側壁、カバー
３５０  周辺輪郭
３６０  位置決めピン
３６１  位置決めピン
３６２  位置決めピン
３６０’  関節接合シャフト
３６１’  関節接合シャフト
３６２’  関節接合シャフト
【図１ａ】
2016188455.tif 000003
【図１ｂ】
2016188455.tif 000004
【図２】
2016188455.tif 000005
【図３】
2016188455.tif 000006
【図４】
2016188455.tif 000007
【図５】
2016188455.tif 000008
【図６】
2016188455.tif 000009
【図７】
2016188455.tif 000010
【図８】
2016188455.tif 000011
【図９】
2016188455.tif 000012
【外国語明細書】
2016188455000001.pdf